【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
複数の画像供給装置と接続され、前記画像供給装置から送信される複数のデータを受信する外部機器接続部と、
前記データに基づく画像を出力する出力部と、
操作を受け付ける操作部と、
前記操作部を介して、前記表示部に表示する前記データを出力する前記画像供給装置を指定する指示が入力された場合、指示された前記画像供給装置以外の前記画像供給装置に対して、前記データの供給の一時停止を要求する一時停止要求信号を出力する制御部と、
を備えることを特徴とする画像表示装置。
【請求項２】
前記制御部は、
前記操作部を介して、前記表示部に表示する前記データを出力する前記画像供給装置として、他の前記画像供給装置が指定された場合、指定された前記画像供給装置に対して、前記データの供給の再開を要求する再開要求信号を出力し、それ以外の前記画像供給装置に対しては、前記一時停止要求信号を出力することを特徴とする請求項１に記載の画像表示装置。
【請求項３】
前記画像表示装置は、
前記データに基づく画像をスクリーンに投影するプロジェクター、あるいは表示画面に画像を表示するディスプレイであることを特徴とする請求項１あるいは２に記載の画像表示装置。
【請求項４】
複数の画像供給装置と、前記画像供給装置から送信されるデータを受信する画像表示装置とを備える画像表示システムにおいて、
前記画像表示部は、
前記画像供給装置から送信される複数のデータを受信する外部機器接続部と、
前記データに基づく画像を出力する出力部と、
操作を受け付ける操作部と、
前記操作部を介して、前記表示部に表示する前記データを出力する前記画像供給装置を指定する指示が入力された場合、指示された前記画像供給装置以外の前記画像供給装置に対して、前記データの供給の一時停止を要求する一時停止要求信号を出力する制御部と、
を備えることを特徴とする画像表示システム。
【請求項５】
前記画像供給装置は、
前記画像表示装置から出力される信号に従って動作し、前記一時停止要求信号に従って前記データの出力を一時停止させ、前記再開要求信号に従って前記データの出力を再開させることを特徴とする請求項４に記載の画像表示システム。
【請求項６】
第１のコンピューターに、
複数の第２のコンピューターから送信されるデータを外部機器接続部に受信させる手順と、
前記データに基づく画像を表示部に出力させる手順と、
操作を受け付ける操作部を介して、前記表示部に表示する前記データを出力する前記第２のコンピューターを指定する指示が入力された場合、指示された前記第２のコンピューター以外の前記第２のコンピューターに対して、前記データの供給の一時停止を要求する一時停止要求信号を出力させる手順と、
前記操作部を介して、前記表示部に表示する前記データを出力する前記第２のコンピューターとして、他の前記第２のコンピューターが指示された場合、指示された前記第２のコンピューターに対して、前記データの供給の再開を要求する再開要求信号を出力し、それ以外の前記第２のコンピューターに対しては、前記一時停止要求信号を出力させる手順と、
を実行させるためのプログラム。
【請求項７】
前記第２のコンピューターに、
前記一時停止要求信号が受信された場合、前記一時要求信号に従って前記データの出力を一時停止させる手順と、
前記再生要求信号が受信された場合、前記再開要求信号に従って前記データの出力を再開させる手順と、
を実行させるための請求項６に記載のプログラム。
【手続補正２】
【補正対象書類名】明細書
【補正対象項目名】０００６
【補正方法】変更
【補正の内容】
【０００６】
上記問題を解決するために、本発明にかかる画像表示装置は、複数の画像供給装置と接続され、前記画像供給装置から送信される複数のデータを受信する外部機器接続部と、前記データに基づく画像を出力する出力部と、操作を受け付ける操作部と、前記操作部を介して、前記表示部に表示する前記データを出力する前記画像供給装置を指定する指示が入力された場合、指示された前記画像供給装置以外の前記画像供給装置に対して、前記データの供給の一時停止を要求する一時停止要求信号を出力する制御部と、備える。
これにより、表示部に表示するデータを出力しない画像供給装置に対しては、データの供給を一時的に停止させることができるため、表示されないデータをメモリー領域に保存したり、解析したり等の処理が不要になるため、ＣＰＵの稼動負担が軽減され、使用されるメモリー領域を軽減することができる。また、一時停止要求信号を受信した画像供給装置は、スタンバイ状態となり、画像供給装置と画像表示装置間の通信方法の識別等が確保されているため、画像データ送信の再開要求信号が入力されることで、直ちに画像データを画像表示装置に送信することができる。
【手続補正３】
【補正対象書類名】明細書
【補正対象項目名】０００７
【補正方法】変更
【補正の内容】
【０００７】
また、本発明にかかる画像表示装置において、前記制御部は、前記操作部を介して、前記表示部に表示する前記データを出力する前記画像供給装置として、他の前記画像供給装置が指定された場合、指定された前記画像供給装置に対して、前記データの供給の再開を要求する再開要求信号を出力し、それ以外の前記画像供給装置に対しては、前記一時停止要求信号を出力する。
これにより、画像表示装置は、一時的にデータの送信が停止されていた画像供給装置から、再度、データを受信することができる。
【手続補正４】
【補正対象書類名】明細書
【補正対象項目名】０００９
【補正方法】変更
【補正の内容】
【０００９】
また、本発明にかかる画像表示システムは、複数の画像供給装置と、前記画像供給装置から送信されるデータを受信する画像表示装置とを備える画像表示システムにおいて、前記画像表示部は、前記画像供給装置から送信される複数のデータを受信する外部機器接続部と、前記データに基づく画像を出力する出力部と、操作を受け付ける操作部と、前記操作部を介して、前記表示部に表示する前記データを出力する前記画像供給装置を指定する指示が入力された場合、指示された前記画像供給装置以外の前記画像供給装置に対して、前記データの供給の一時停止を要求する一時停止要求信号を出力する制御部と、を備える。
【手続補正５】
【補正対象書類名】明細書
【補正対象項目名】００１０
【補正方法】変更
【補正の内容】
【００１０】
また、本発明にかかる画像表示システムにおいて、前記画像供給装置は、前記画像表示装置から出力される信号に従って動作し、前記一時停止要求信号に従って前記データの出力を一時停止させ、前記再開要求信号に従って前記データの出力を再開させる。
【手続補正６】
【補正対象書類名】明細書
【補正対象項目名】００１１
【補正方法】変更
【補正の内容】
【００１１】
また、本発明にかかるプログラムは、第１のコンピューターに、複数の第２のコンピューターから送信されるデータを外部機器接続部に受信させる手順と、前記データに基づく画像を表示部に出力させる手順と、操作を受け付ける操作部を介して、前記表示部に表示する前記データを出力する前記第２のコンピューターを指定する指示が入力された場合、指示された前記第２のコンピューター以外の前記第２のコンピューターに対して、前記データの供給の一時停止を要求する一時停止要求信号を出力させる手順と、前記操作部を介して、前記表示部に表示する前記データを出力する前記第２のコンピューターとして、他の前記第２のコンピューターが指示された場合、指示された前記第２のコンピューターに対して、前記データの供給の再開を要求する再開要求信号を出力し、それ以外の前記第２のコンピューターに対しては、前記一時停止要求信号を出力させる手順と、を実行させるためのプログラムである。